(57)【要約】【課題】糞を受ける袋をその動物の体に取り付けるための装置において、動物の体の大きさのみならず各部の寸法比のバラツキに対して、同じ装置で対応できるようにする。【解決手段】尻尾７の下に、装着具１１によって本体１３が装着され、肛門を露出させる取付孔１５が形成され、袋５が取り付けられて糞を受ける。尻尾７を保持する尻尾保持手段１７が、本体１３に対し位置が調整可能に設けられる。この位置調整手段１９は、尻尾保持手段１７に設けられた雄ネジ４５が、本体１３に設けられた挿通孔４７に挿通され、円盤状のツマミ４９を回すと、ツマミ４９の雌ネジ５１が雄ネジ４５を軸方向に送り、位置が調整される。線状の部材は、右側ループ部材が動物の右後脚の付根の内側を回り、左側ループ部材が動物の左後脚の付根の内側を回り、本体１３を支える。前側ループ部材は、動物の首の下側を通って本体１３を支える。これら３つのループ部材の各々の途中は、止具によって止められ、長さ変更手段によって長さが変更される。【選択図】図1
2007181423.tif 000002
【特許請求の範囲】
【請求項１】
動物の糞を受ける袋を前記動物の体に取り付けるための装置であって、前記動物の尻尾の下に、線状の部材からなる装着具によって装着される本体と、線状の部材の長さ変更手段と、前記本体に形成され前記動物の肛門を露出させる取付孔と、この取付孔に取り付けられて糞を受ける袋と、前記動物の尻尾を保持する尻尾保持手段と、この尻尾保持手段を前記本体に対し位置が調整可能に設けた位置調整手段と、を有することを特徴とする糞を受ける装置。
【請求項２】
前記位置調整手段は、前記本体又は前記尻尾保持手段の一方に設けられた雄ネジと、他方に設けられこの雄ネジが挿通される挿通孔と、前記雄ネジに同軸で回動可能に配置され内周に雌ネジが形成され軸方向の移動が規制された円盤状のツマミと、を有して構成されることを特徴とする請求項１に記載の糞を受ける装置。
【請求項３】
前記取付孔に対して、前記袋はワンタッチで取り付けられる取付具を有することでカートリッジタイプになっており、この取付具は、前記袋の開口部に設けられ前記取付孔に挿入されるリング部材と、このリング部材の直径方向の２箇所に形成され、この２箇所に対応して前記取付孔の縁に形成される爪穴に、前記挿入時に嵌合する爪と、この爪の付近で後方へ向かって延設され、指でつまむことで前記リング部材を撓ませ、よって前記爪の嵌合を外して袋を取り外すためのアームと、を有して構成されることを特徴とする請求項１、又は２に記載の糞を受ける装置。
【請求項４】
前記線状の部材からなる装着具は、一端が本体の右下に固定され動物の右後脚の付根の内側を回って他端が本体の左上に固定される右側ループ部材と、一端が本体の左下に固定され動物の左後脚の付根の内側を回って他端が本体の右上に固定される左側ループ部材と、前記右側ループ部材の右腰上に一端が固定され動物の左肩から首の下側を通って右肩から前記左側ループ部材の左腰上に他端が固定される前側ループ部材と、これら３つのループ部材の各々の途中を止める止具と、各々の長さを変更できる長さ変更手段と、を有して構成されることを特徴とする請求項１、２、又は３に記載の糞を受ける装置。
【発明の詳細な説明】
【技術分野】
【０００１】
この発明は、犬猫などの動物の糞を受ける袋をその動物の体に取り付けるための装置に関する。
【背景技術】
【０００２】
犬猫などの動物、特に散布中の犬がする糞を袋で受けるという提案は多く存在し、その中でも袋をその動物の肛門に取り付けるための装置も複数が存在する。たとえば、下記の特許文献１、２には、袋の口が取り付けられるリングを、紐によって取り付ける技術が開示される。また、特許文献３には、犬にはかせたパンツに、肛門を露出させる孔を開け、その孔に袋が取り付けられる技術が開示される。
【特許文献１】特開２００３−９２９４５
【特許文献２】実用新案登録３０２１４２８
【特許文献３】特開２００５−１５１９６３
【発明の開示】
【発明が解決しようとする課題】
【０００３】
しかしながら、これら袋をその動物の体に取り付けるための装置を商品として生産しても、動物の体の大きさや各部の寸法比などには、非常に大きなバラツキがあり、そのバラツキに対応した商品でないと、糞がうまく袋の中に受けきれない。
そして、動物の体の大きさには、取り付けの紐の長さを可変にすれば、ある程度対応ができるが、問題は、体の大きさがほぼ同じでも、動物の種類によって、また例えば同じ犬でも犬の種類によって、体の各部の寸法比が異なり、袋の穴がうまく肛門の位置に一致しないという問題があった。
【０００４】
動物の体の大きさのみならず各部の寸法比に応じて、サイズの異なる商品を製造し販売することは、商品のコストをいたずらに高くしてしまうものである。
この発明は、以上の問題点を解決するために、動物の体の大きさのみならず各部の寸法比のバラツキに対して、同じ商品で対応できる糞を受ける装置を提供することを目的とする。
【課題を解決するための手段】
【０００５】
以上の課題を解決するために、第一発明は、動物の糞を受ける袋を前記動物の体に取り付けるための装置であって、前記動物の尻尾の下に、線状の部材からなる装着具によって装着される本体と、線状の部材の長さ変更手段と、前記本体に形成され前記動物の肛門を露出させる取付孔と、この取付孔に取り付けられて糞を受ける袋と、前記動物の尻尾を保持する尻尾保持手段と、この尻尾保持手段を前記本体に対し位置が調整可能に設けた位置調整手段と、を有することを特徴とする糞を受ける装置である。
【０００６】
第二発明は、さらに、前記位置調整手段は、前記本体又は前記尻尾保持手段の一方に設けられた雄ネジと、他方に設けられこの雄ネジが挿通される挿通孔と、前記雄ネジに同軸で回動可能に配置され内周に雌ネジが形成され軸方向の移動が規制された円盤状のツマミと、を有して構成されることを特徴とする糞を受ける装置である。
【０００７】
第三発明は、さらに、前記取付孔に対して、前記袋はワンタッチで取り付けられる取付具を有することでカートリッジタイプになっており、この取付具は、前記袋の開口部に設けられ前記取付孔に挿入されるリング部材と、このリング部材の直径方向の２箇所に形成され、この２箇所に対応して前記取付孔の縁に形成される爪穴に、前記挿入時に嵌合する爪と、この爪の付近で後方へ向かって延設され、指でつまむことで前記リング部材を撓ませ、よって前記爪の嵌合を外して袋を取り外すためのアームと、を有して構成されることを特徴とする糞を受ける装置である。
【０００８】
第四発明は、さらに、前記線状の部材からなる装着具は、一端が本体の右下に固定され動物の右後脚の付根の内側を回って他端が本体の左上に固定される右側ループ部材と、一端が本体の左下に固定され動物の左後脚の付根の内側を回って他端が本体の右上に固定される左側ループ部材と、前記右側ループ部材の右腰上に一端が固定され動物の左肩から首の下側を通って右肩から前記左側ループ部材の左腰上に他端が固定される前側ループ部材と、これら３つのループ部材の各々の途中を止める止具と、各々の長さを変更できる長さ変更手段と、を有して構成されることを特徴とする糞を受ける装置である。
【発明の効果】
【０００９】
第一、第二、第三、又は第四発明によれば、ベルトや紐などの線状の部材からなる装着具によって装置の本体を装着することで、線状の部材の長さを変更することで動物の体の大きさのバラツキに対応できる。また、尻尾保持手段を、肛門を露出させる取付孔が形成された本体に対して、位置の調整が可能に設けることにより、動物の体の各部の寸法比が異なることで尻尾と肛門との距離が違っても、取付孔すなわち袋の穴をうまく肛門の位置に一致させることができる。
【００１０】
第二、第三、又は第四発明によれば、位置調整手段を簡素で頑丈に作ることができる。  第三、又は第四発明によれば、袋はワンタッチで取り付けられるカートリッジタイプになっており、取り付けの面倒がなく、便利である。
第四発明によれば、前側ループ部材によって、装置の本体が持ち上げられ下方へずれるのを防止しやすい。
【発明を実施するための最良の形態】
【００１１】
この発明の実施形態を、図１〜図７に示す。
（装置の概略）
この実施形態に係る装置１は、犬３の糞を受ける袋５を、犬３の体に取り付けて使用するための装置１である。犬３の尻尾７の下に、線状の部材であるベルト９とカバン様のケース３１からなる装着具１１によって、装置１の本体１３が装着される。本体１３の内部中央には、犬３の肛門を露出させる取付孔１５が形成される。この取付孔１５に、ビニールの袋５などが取り付けられて糞を受ける。本体１３の上面には、犬３の尻尾７を保持する上向きのＵ字状の尻尾保持手段１７が、位置調整手段１９を介して取り付けられ、よって、この尻尾保持手段１７は、本体１３に対し上下方向の位置が調整可能にされる。
【００１２】
（装着具１１）
図１〜図３に示すように、装着具１１は、伸縮性のベルト９からなる３つのループベルトを有する。右側ループベルト２１は、一端が本体１３の右下に固定され、犬３の右後脚の付根の内側を回って、他端が本体１３の左上に固定される。左側ループベルト２３は、一端が本体１３の左下に固定され、犬３の左後脚の付根の内側を回って、他端が本体１３の右上に固定される。前側ループベルト２５は、右側ループベルト２１の右腰上に一端が固定され、犬３の左肩から首の下側を通って右肩から左側ループベルト２３の左腰上に他端が固定される。これら３つのループベルト２１，２３，２５には、各々の途中を止める止具としてのワンタッチバックル２７と、各々のベルト９の長さを変更できる長さ変更手段としての金具２９が設けられる。
【００１３】
（本体１３）
図４、図５に示すように、本体１３は、カバン様のケース３１の内部に納められ、上部から尻尾保持手段１７が露出している。本体１３は、概略箱状をなし、上方と後方が開放された形状を有する。左右側面３３は、カバン様のケース３１に収めやすいように、上辺と下辺が短く、上下方向の中央の幅が広い、五角形状をなす。
【００１４】
箱状の前側は、平面形状が台形である台形柱状の突出部３５を形成し（図５（Ａ）参照）、犬３の尻部の中央に位置決めしやすい形状になっている。この台形柱状の中央面３７には上方の中央に、犬３の肛門を露出させる取付孔１５が形成されている。
【００１５】
（尻尾保持手段１７）
本体１３の箱状の上面、すなわち台形柱状の上面には、犬３の尻尾７を保持する尻尾保持手段１７が設けられる。この実施形態においては、尻尾保持手段１７は、尻尾７の付根下部を下から支えるＵ字断面を有する半円筒状をなし、下面と左右側面３８は四角形をなす。この左右側面３８は、本体１３に立設される一対のガイド板３９に挟まれる。各ガイド板３９の内側面には、２条のガイドレール４１が垂直に設けられ、尻尾保持手段１７の左右側面３３に形成されたガイド溝４３に嵌合し、尻尾保持手段１７を上下方向に移動可能に案内する。
【００１６】
（位置調整手段１９）
図５、図６に示すように、位置調整手段１９は、尻尾保持手段１７の下側中央に設けられた雄ネジ４５が、本体１３の上面中央に形成された挿通孔４７に、挿通される。この雄ネジ４５に同軸で回動可能に、ドーナツ円盤状のツマミ４９が配置される。ドーナツ円盤状の内周には、雌ネジ５１が形成され、雄ネジ４５に螺合する。このツマミ４９は、本体１３に形成された水平な溝５３の中に半分以上が保持され、軸方向の移動が規制される。よって、ツマミ４９の溝５３から露出している部分を回転すると、ツマミ４９の雌ネジ５１によって雄ネジ４５が軸方向、すなわち上下方向へ送られ、よって尻尾保持手段１７の上下方向の位置が調節される。
【００１７】
ツマミ４９の横の近傍の位置で、本体１３に設けられ垂直面で回動可能なロックピン５５は、先端がＬ字状に曲がっていて、ツマミ４９の円周上に等間隔で複数が形成されるロック孔５７に係止する。これにより位置調整手段１９をロックし、位置が動かないようにできる。
【００１８】
（袋５）
図７に示すように、袋５は、取付孔１５に対して、ワンタッチで取り付けられる取付具５９を有することでカートリッジタイプになっている。すなわち、この取付具５９は、袋５の開口部の縁を集めるリング部材６１の先端が、取付孔１５に挿入される。このリング部材６１の直径方向の２箇所に、ヤジリの半分の形状をした爪６３が形成される。これらの２箇所の爪６３の形状に対応して、取付孔１５の縁に爪穴６５が形成される。リング部材６１を取付孔１５に挿入すると、爪６３は、爪穴６５の縁６７を乗り越えて、爪穴６５に嵌合する。
【００１９】
この爪６３の付近には、斜め後方へ向かってアーム６９が延設される。これらの二つのアーム６９を指でつまむことで、リング部材６１が撓み、よって爪６３が爪穴６５の縁６７を再び乗り越えて、嵌合が外れ、袋５を取り外すことができる。
なお、袋５の開口部の近くには、空気抜きの孔６８が形成されている。
【００２０】
（カバン様のケース３１）
図３に示すように、カバン様のケース３１は、本体１３を収めるもので、蓋７１が本体１３の後方に向かって開閉できるように設けられ、ベルト７２で止められる。蓋７１の上部の中央には、尻尾保持手段１７が貫通し露出する貫通孔７３が開けれる。
【００２１】
「実施形態の作用・効果」
この実施形態によれば、ベルト９からなる装着具１１で、カバン様のケース３１に収められたままの本体１３を、犬３の尻尾７の下に装着し、尻尾保持手段１７の半円筒状の部分に尻尾７を載せ、位置調整手段１９の円盤状のツマミ４９を回すと、ツマミ４９の雌ネジ５１が雄ネジ４５を軸方向に送り、尻尾７に対する取付孔１５の上下方向の位置が調整される。
【００２２】
犬３が袋５の中へ糞をした後に、袋５の取付具５９に延設される二つのアーム６９を指でつまむことで、リング部材６１の爪６３が爪穴６５の縁６７を再び乗り越えて、嵌合が外れ、袋５を取り外すことができる。
ベルト９からなる装着具１１によって装置１の本体１３を装着することで、ベルト９の長さを変更することで動物の体の大きさのバラツキに対応できる。
【００２３】
また、尻尾保持手段１７の位置の調整が可能であることから、犬３の体の各部の寸法比が異なることで尻尾７と肛門との距離が違っても、取付孔１５すなわち袋５の穴を、うまく肛門の位置に一致させることができる。
【００２４】
また、位置調整手段１９を、雄ネジ４５に螺合する雌ネジ５１を有する円盤状のツマミ４９を用いて、簡素で頑丈に作ることができ、装置コストを抑えることができる。
また、袋５は、二つのアーム６９を指でつまむことでワンタッチで外せるカートリッジタイプになっており、取り付け、取り外しの面倒がなく、便利である。
また、装着具１１の前側ループ部材によって、装置１の本体１３が持ち上げられ下方へずれるのを防止しやすい。
【００２５】
「他の実施形態」
以上の実施形態では、動物は犬３であったが、本発明は他の動物、例えば猫、馬など、４つ脚で、尻尾７を有し、尻部が地面から離れた状態で歩行する動物について実施できる。
以上の実施形態では、装着具１１を構成する線状の部材は、伸縮性のベルト９であったが、他の実施形態では、伸縮しなくてもかまわない。また、紐、チェーンなどの他の線状の部材を用いることができる。
【図面の簡単な説明】
【００２６】
【図１】この発明の一実施形態にかかる装置を動物に装着した状態を示す平面図である。
【図２】図１の底面図である。
【図３】図１の背面図である。
【図４】図３の装置からカバン様のケースを除き装置本体を表した斜視図である。
【図５】図４を別の角度から示すもので（Ａ）は平面図、（Ｂ）は背面図、（Ｃ）は底面図、（Ｄ）は側面図である。
【図６】装置本体の要部拡大図で、（Ａ）は図５（Ａ）の要部拡大、（Ｂ）は図５（Ｂ）の要部拡大図、（Ｃ）は（Ｂ）の縦断面図である。
【図７】袋の取付部分の要部拡大図で、（Ａ）は取付孔の拡大背面図、（Ｂ）は（Ａ）の平面図、（Ｃ）は袋の取付具の平面図、（Ｄ）は（Ｃ）の全体斜視図である。
【符号の説明】
【００２７】
１…装置、３…犬、５…袋、７…尻尾、９…ベルト、１１…装着具、１３…本体、１５…取付孔、１７…尻尾保持手段、１９…位置調整手段、２１…右側ループベルト、２３…左側ループベルト、２５…前側ループベルト、２７…ワンタッチバックル、２９…金具、３１…ケース、３３…左右側面、３５…突出部、３７…中央側面、３９…ガイド板、４１…ガイドレール、４３…ガイド溝、４５…雄ネジ、４７…挿通孔、４９…ツマミ、５１…雌ネジ、５３…溝、５５…ロックピン、５７…ロック孔、５９…取付具、６１…リング部材、６３…爪、６５…爪穴、６７…縁、６９…アーム、７１…蓋、７３…貫通孔。
【図１】
2007181423.tif 000003
【図２】
2007181423.tif 000004
【図３】
2007181423.tif 000005
【図４】
2007181423.tif 000006
【図５】
2007181423.tif 000007
【図６】
2007181423.tif 000008
【図７】
2007181423.tif 000009